(57)【要約】  表示装置（１）は、筐体（１００）と、操作面（１０１）と、位置センサ（１１Ｄ）と、押圧センサ（１１Ｐ）と、表示部（３０）とを備える。位置センサ（１１Ｄ）は、操作面（１０１）に対するタッチ位置を検知する。押圧センサ（１１Ｐ）は、操作面（１０１）に対する押圧を検知する。表示部（３０）は、画像を表示する。押圧センサ（１１Ｐ）が第１閾値以上の押圧量を検知したとき、制御部（２０）は、位置センサ（１１Ｄ）で検知されるタッチ位置のスライド方向に直交する方向（Ａ）を立体画像（５）の回転軸に設定する。そして、制御部（２０）は、位置センサ（１１Ｄ）で検知されるタッチ位置のスライド方向に応じて立体画像（５）を回転させる。
2016152388.tif 000002
【特許請求の範囲】
【請求項１】
操作面と、
前記操作面に対するタッチ位置を検知する位置検知部と、
前記操作面に対する押圧を検知する押圧検知部と、
画像を表示する表示部と、を備え、
前記表示部は、前記押圧検知部が所定条件を満たす押圧量を検知したとき、前記位置検知部で検知される前記タッチ位置のスライド方向に応じて前記画像を回転させる、タッチ式入力装置。
【請求項２】
前記表示部は、前記押圧検知部が第１閾値以上の押圧量を検知したとき、前記位置検知部で検知される前記タッチ位置のスライド方向に応じて前記画像を回転させる、請求項１に記載のタッチ式入力装置。
【請求項３】
前記表示部は、前記押圧検知部が第１閾値未満の押圧量を検知したとき、前記位置検知部で検知される前記タッチ位置のスライド方向に応じて前記画像を回転させる、請求項１に記載のタッチ式入力装置。
【請求項４】
前記操作面、前記位置検知部、前記押圧検知部、及び前記表示部は、積層されてタッチパネルを構成し、
前記表示部は、前記画像を前記操作面に表示する、請求項１から請求項３のいずれか１項に記載のタッチ式入力装置。
【請求項５】
前記画像の回転速度は、前記タッチ位置のスライド速度に対応する、請求項１から請求項４のいずれか１項に記載のタッチ式入力装置。
【請求項６】
前記画像の回転量は、前記タッチ位置のスライド量に対応する、請求項１から請求項５のいずれか１項に記載のタッチ式入力装置。
【請求項７】
前記表示部は、予め定められた回転中心に基づいて、前記スライド方向に応じて前記画像を回転させる、請求項１から請求項６のいずれか１項に記載のタッチ式入力装置。
【請求項８】
前記表示部は、前記スライド方向に直交する方向を前記画像の回転軸に設定する、請求項１から請求項７のいずれか１項に記載のタッチ式入力装置。
【請求項９】
前記表示部は、前記押圧検知部が第２閾値以上の押圧量を検知したとき、前記画像のうち押圧された立体画像を回転対象とする、請求項１から請求項８のいずれか１項に記載のタッチ式入力装置。
【請求項１０】
前記表示部は、前記画像が回転している間に前記押圧検知部が第３閾値未満の押圧量を検知したとき、前記画像の回転を停止する、請求項１から請求項９のいずれか１項に記載のタッチ式入力装置。
【請求項１１】
前記表示部は、前記画像が回転している間に前記押圧検知部が第４閾値以上の押圧量を検知したとき、前記画像の回転を停止する、請求項１から請求項１０のいずれか１項に記載のタッチ式入力装置。
【請求項１２】
前記表示部は、前記画像が回転している間に前記位置検知部が前記タッチ位置を検知しなくなったとき、前記画像の回転を停止する、請求項１から請求項１１のいずれか１項に記載のタッチ式入力装置。
【発明の詳細な説明】
【技術分野】
【０００１】
本発明は、画像を画面に表示し、ユーザの操作入力を検知するタッチ式入力装置に関する。
【背景技術】
【０００２】
近年、コンピュータの性能が飛躍的に向上し、タブレットやスマートフォンなどのタッチ式入力装置は立体画像を表示することが可能となってきた。近年のタッチ式入力装置は、画面上に表示された立体画像に対して、拡大操作、縮小操作、スライド操作、及び回転操作を行うことも可能である。【０００３】
例えば特許文献１には、マウスと、キーボードと、立体表示プログラムがインストールされた補助記憶装置とを備えるパーソナルコンピュータが開示されている。ユーザは、この立体表示プログラムをパーソナルコンピュータで実行し、マウス操作のみのドラッギング又はマウス操作＋キーボード操作のドラッギングによって、立体画像を回転する。これにより、ユーザは、立体画像の任意の箇所を容易に見ることが出来る。
【先行技術文献】
【特許文献】
【０００４】
【特許文献１】特開２０００−２９３７１１号公報
【発明の概要】
【発明が解決しようとする課題】
【０００５】
しかしながら、例えば特許文献１のパーソナルコンピュータではユーザは、マウスに設けられているキーを押下しながら、又はマウス及びキーボードの両方に設けられているキーを押下しながら、立体画像をドラッグする必要がある。そのため、特許文献１では、入力操作が煩雑となり、ユーザの使い勝手が悪いという問題がある。【０００６】
そこで、本発明は、簡単で直感的な入力操作により画像を回転させることができるタッチ式入力装置を提供することを目的とする。
【課題を解決するための手段】
【０００７】
本発明のタッチ式入力装置は、操作面と、位置検知部と、押圧検知部と、表示部と、を備える。位置検知部は、操作面に対するタッチ位置を検知する。押圧検知部は、操作面に対する押圧を検知する。表示部は、画像を表示する。表示部は、押圧検知部が所定条件を満たす押圧量を検知したとき、位置検知部で検知されるタッチ位置のスライド方向に応じて画像を回転させる。【０００８】
この構成において画像は、立体画像および背景画像を含む。また、所定条件を満たす押圧量とは、第１閾値以上の押圧量または０以上第１閾値未満の押圧量である。この構成ではユーザが、操作面の一部を指で押圧し、操作面上で指をスライドさせるだけで、表示部は画像を回転させる。【０００９】
したがって、この構成のタッチ式入力装置は、簡単で直感的な入力操作により画像を回転させることができる。【００１０】
また、本発明において、操作面、位置検知部、押圧検知部、及び表示部は、積層されてタッチパネルを構成し、表示部は、画像を操作面に表示する、ことが好ましい。この構成ではユーザは操作面に表示される画像を直接操作することができる。そのため、この構成のタッチ式入力装置は、より直感的な入力操作を実現できる。【００１１】
また、本発明において、画像の回転速度は、タッチ位置のスライド速度に対応する、ことが好ましい。この構成では画像の回転速度はユーザの指のスライド速度に対応する。そのため、この構成のタッチ式入力装置は、より直感的な入力操作を実現できる。【００１２】
また、本発明において、画像の回転量は、タッチ位置のスライド量に対応する、ことが好ましい。この構成では画像の回転量はユーザの指のスライド量に対応する。そのため、この構成のタッチ式入力装置は、より直感的な入力操作を実現できる。【００１３】
また、本発明において、表示部は、予め定められた回転中心に基づいて、スライド方向に応じて画像を回転させる、ことが好ましい。【００１４】
また、本発明において、表示部は、スライド方向に直交する方向を画像の回転軸に設定する、ことが好ましい。【００１５】
また、本発明において、表示部は、押圧検知部が第２閾値以上の押圧量を検知したとき、画像のうち押圧された立体画像を回転対象とする、ことが好ましい。【００１６】
この構成では回転対象となる候補が画像の中に複数存在する場合、ユーザは複数の中から１つを押圧する。これにより、ユーザは回転対象にしたい立体画像または背景画像を選択できる。【００１７】
また、本発明において、表示部は、画像が回転している間に押圧検知部が第３閾値未満の押圧量を検知したとき、画像の回転を停止する、ことが好ましい。【００１８】
この構成ではユーザが操作面から指を離すだけで、表示部は画像の回転を終える。したがって、タッチ式入力装置は、簡単で直感的な入力操作により画像の回転を停止させることができる。【００１９】
また、本発明において、表示部は、画像が回転している間に押圧検知部が第４閾値以上の押圧量を検知したとき、画像の回転を停止する、ことが好ましい。【００２０】
この構成ではユーザが操作面の一部を指で押圧するだけで、表示部は画像の回転を終える。したがって、タッチ式入力装置は、簡単で直感的な入力操作により画像の回転を停止させることができる。【００２１】
また、本発明において、表示部は、画像が回転している間に位置検知部がタッチ位置を検知しなくなったとき、画像の回転を停止する、ことが好ましい。【００２２】
この構成ではユーザが操作面から指を離すだけで、表示部は画像の回転を終える。したがって、タッチ式入力装置は、簡単で直感的な入力操作により画像の回転を停止させることができる。
【発明の効果】
【００２３】
本発明によれば、タッチ式入力装置は、簡単で直感的な入力操作により画像を回転させることができる。
【図面の簡単な説明】
【００２４】
【図１】本発明の実施形態に係る表示装置の外観斜視図である。
【図２】図１に示すＳ−Ｓ線の断面図である。
【図３】図２に示す位置センサ１１Ｄの平面図である。
【図４】図２に示す押圧センサ１１Ｐの平面図である。
【図５】図１に示す表示装置１のブロック図である。
【図６】図５に示す制御部２０が実行する処理を示すフローチャートである。
【図７】図１に示す操作面１０１に表示される立体画像５がスライドする一例を示す図である。
【図８】図１に示す操作面１０１に表示される立体画像５に回転軸Ａが設定される一例を示す図である。
【図９】図８に示す立体画像５が回転する一例を示す図である。
【図１０】本発明の他の実施形態に係る表示装置の制御部２０が実行する処理を示すフローチャートである。
【図１１】図１に示す操作面１０１に表示される複数の立体画像５、７の一例を示す図である。
【図１２】図１に示す操作面１０１に表示される立体画像５に回転軸Ｂが設定される一例を示す図である。
【図１３】図１２に示す立体画像５が回転する一例を示す図である。
【図１４】図１に示す操作面１０１に表示される立体画像５に回転軸Ｃが設定される一例を示す図である。
【図１５】図１４に示す立体画像５が回転する一例を示す図である。
【図１６】図１に示す操作面１０１に表示される立体画像６の外観斜視図である。
【図１７】図１６に示すＴ−Ｔ線の断面図である。
【図１８】図１６に示す立体画像６がスライドする一例を示す図である。
【図１９】図１６に示す立体画像６が回転する一例を示す図である。
【図２０】図８に示す画像に対する視点が回転する一例を示す図である。
【発明を実施するための形態】
【００２５】
本発明の実施形態に係る表示装置について、図を参照して説明する。図１は、本発明の実施形態に係る表示装置１の外観斜視図である。図２は、図１に示すＳ−Ｓ線の断面図である。図３は、図２に示す位置センサ１１Ｄの平面図である。図４は、図２に示す押圧センサ１１Ｐの平面図である。図５は、図１に示す表示装置１のブロック図である。
【００２６】
図１に示すように、表示装置１は、携帯可能な程度の大きさからなる筐体１００を備える。表示装置１は、例えばタブレットやスマートフォンである。
【００２７】
なお、表示装置１は、本発明のタッチ式入力装置の一例に相当する。
【００２８】
筐体１００は、長さ及び幅が厚さよりも大きな直方体形状であり、天面が開口する形状からなる。筐体１００には、図１、図２に示すように、筐体１００の開口面を塞ぐよう平板状の操作入力部１０が嵌め合されている。操作入力部１０の一方の主面が操作面１０１となる。操作入力部１０は、透光性を有する材料からなる。
【００２９】
筐体１００内には、図１、図２に示すように、操作面１０１側から、位置センサ１１Ｄ、押圧センサ１１Ｐ、表示部３０、制御回路モジュール５２、及び図５に示すバッテリ７０がこの順番に設けられている。位置センサ１１Ｄは、静電容量センサである。
【００３０】
位置センサ１１Ｄ及び押圧センサ１１Ｐは、組み合わされて、操作入力部１０を構成する。操作面１０１、位置センサ１１Ｄ、押圧センサ１１Ｐ及び表示部３０は、タッチパネルを構成する。位置センサ１１Ｄ、押圧センサ１１Ｐ、および表示部３０は平板状であり、それぞれの平板面が筐体１００の操作面１０１に平行になるように、筐体１００に設けられている。
【００３１】
筐体１００の底面と表示部３０との間には、回路基板（図示せず）が配置されており、当該回路基板に制御回路モジュール５２が実装されている。制御回路モジュール５２は、図５に示す、制御部２０、記憶部２１、ＲＡＭ２２、無線ＬＡＮ通信部６０、及び３Ｇ通信部６１を実現するモジュールである。制御回路モジュール５２は、位置センサ１１Ｄ、押圧センサ１１Ｐ、表示部３０、及びバッテリ７０に接続されている。
【００３２】
位置センサ１１Ｄは、図２、図３に示すように、平板状の絶縁性基板１１Ｄ１と、複数の静電容量検知用電極１１Ｄ２と、複数の静電容量検知用電極１１Ｄ３と、保護膜１１Ｄ４と、を有する。
【００３３】
位置センサ１１Ｄの押圧センサ１１Ｐとは反対側の面には、保護膜１１Ｄ４が設けられている。保護膜１１Ｄ４は、可撓性を有し絶縁性を有する材質からなる。保護膜１１Ｄ４は、透光性を有する材質からなる。例えば、保護膜１１Ｄ４には、ＰＥＴやＰＰを用いるとよい。
【００３４】
絶縁性基板１１Ｄ１は、透光性を有する材料からなる。図２、図３に示すように、絶縁性基板１１Ｄ１の一方の平板面には、複数の静電容量検知用電極１１Ｄ２が形成されている。複数の静電容量検知用電極１１Ｄ２は長尺状であり、長尺方向が第１の方向に沿う形状からなる。複数の静電容量検知用電極１１Ｄ２は、第１の方向に直交する第２の方向に沿って間隔を空けて配置されている。
【００３５】
絶縁性基板１１Ｄ１の他方の平板面には、複数の静電容量検知用電極１１Ｄ３が形成されている。複数の静電容量検知用電極１１Ｄ３は長尺状であり、長尺方向が第２の方向に沿う形状からなる。複数の静電容量検知用電極１１Ｄ３は、第１の方向に沿って間隔を空けて配置されている。複数の静電容量検知用電極１１Ｄ２，１１Ｄ３は透光性を有する材料からなる。
【００３６】
位置センサ１１Ｄは、ユーザの指が接触した際に生じる静電容量変化を、静電容量検知用電極１１Ｄ２，１１Ｄ３で検知し、この検知に基づく信号を位置検知信号として制御回路モジュール５２へ出力する。
【００３７】
押圧センサ１１Ｐは、図２、図４に示すように、平膜状の圧電フィルム１１Ｐ１と、押圧検知電極１１Ｐ２，１１Ｐ３と、を有する。圧電フィルム１１Ｐ１の対向する各平膜面には、押圧検知電極１１Ｐ２，１１Ｐ３が形成されている。押圧検知電極１１Ｐ２，１１Ｐ３は、圧電フィルム１１Ｐ１の平膜面の略全面に形成されている。
【００３８】
押圧センサ１１Ｐは、ユーザが圧電フィルム１１Ｐ１の平膜面を押圧することで、圧電フィルム１１Ｐ１が撓んで発生する電荷を、押圧検知電極１１Ｐ２，１１Ｐ３で検知し、この検知に基づく信号を押圧検知信号として制御回路モジュール５２へ出力する。
【００３９】
なお、圧電フィルム１１Ｐ１は、圧電性を有するフィルムであればよいが、好ましくは、一軸延伸されたポリ乳酸（ＰＬＡ）、さらにはＬ型ポリ乳酸（ＰＬＬＡ）によって形成されていることが好ましい。
【００４０】
ＰＬＬＡは、キラル高分子であり、主鎖が螺旋構造を有する。ＰＬＬＡは、一軸延伸され、分子が配向すると、圧電性を有する。そして、一軸延伸されたＰＬＬＡは、圧電フィルムの平膜面が押圧されることにより、電荷を発生する。この際、発生する電荷量は、押圧により平膜面が、当該平膜面に直交する方向へ変位する変位量によって一意的に決定される。一軸延伸されたＰＬＬＡの圧電定数は、高分子中で非常に高い部類に属する。
【００４１】
したがって、ＰＬＬＡを用いることで、押圧による変位を確実且つ高感度に検知することができる。すなわち、押圧を確実に検知し、押圧量を高感度に検知することができる。
【００４２】
なお、延伸倍率は３〜８倍程度が好適である。延伸後に熱処理を施すことにより、ポリ乳酸の延びきり鎖結晶の結晶化が促進され圧電定数が向上する。なお、二軸延伸した場合はそれぞれの軸の延伸倍率を異ならせることによって一軸延伸と同様の効果を得ることが出来る。例えばある方向をＸ軸としてＸ軸方向に８倍、Ｘ軸に直交するＹ軸方向に２倍の延伸を施した場合、圧電定数に関してはおよそＸ軸方向に４倍の一軸延伸を施した場合とほぼ同等の効果が得られる。単純に一軸延伸したフィルムは延伸軸方向に沿って裂け易いため、前述したような二軸延伸を行うことにより幾分強度を増すことができる。
【００４３】
また、ＰＬＬＡは、延伸等による分子の配向処理で圧電性を生じ、ＰＶＤＦ等の他のポリマーや圧電セラミックスのように、ポーリング処理を行う必要がない。すなわち、強誘電体に属さないＰＬＬＡの圧電性は、ＰＶＤＦやＰＺＴ等の強誘電体のようにイオンの分極によって発現するものではなく、分子の特徴的な構造である螺旋構造に由来するものである。
【００４４】
このため、ＰＬＬＡには、他の強誘電性の圧電体で生じる焦電性が生じない。さらに、ＰＶＤＦ等は経時的に圧電定数の変動が見られ、場合によっては圧電定数が著しく低下する場合があるが、ＰＬＬＡの圧電定数は経時的に極めて安定している。したがって、周囲環境に影響されることなく、押圧による変位を高感度に検知することができる。
【００４５】
このような一軸延伸処理された圧電フィルム１１Ｐ１は、図２、図４に示すように、筐体１００の側面に沿った直交二方向に対して、一軸延伸方向９００が略４５°の角度を成すように、筐体１００に配置されることが好ましい。このような配置を行うことで、より高感度に変位を検知できる。したがって、押圧および押圧量をより高感度に検知することができる。
【００４６】
押圧検知電極１１Ｐ２，１１Ｐ３は、図２、図４に示すように、ポリチオフェンやポリアニリンを主成分とする有機電極、ＩＴＯ、ＺｎＯ、銀ナノワイヤ、カーボンナノチューブ、グラフェン等の無機電極のいずれかを用いるのが好適である。これらの材料を用いることで、透光性の高い導体パターンを形成できる。
【００４７】
図１、図２に示すように、筐体１００の内部における操作入力部１０の他方の主面には、表示部３０が配置されている。表示部３０は、所謂フラットディスプレイからなり、ここでは、具体的に液晶表示素子からなる。表示部３０は、液晶パネル３０１、表面偏光板３０２、裏面偏光板３０３、バックライト３０４を備える。表面偏光板３０２と裏面偏光板３０３は、液晶パネル３０１を挟むように配置されている。バックライト３０４は、裏面偏光板３０３を挟んで、液晶パネル３０１と反対側に配置されている。
【００４８】
次に、図５に示すように、表示装置１は、操作入力部１０、制御部２０、記憶部２１、ＲＡＭ２２、表示部３０、無線ＬＡＮ通信部６０、３Ｇ通信部６１、及びバッテリ７０を備える。
【００４９】
なお、制御部２０及び表示部３０が、本発明の「表示部」の一例を構成する。
【００５０】
無線ＬＡＮ通信部６０及び３Ｇ通信部６１は、不図示のアンテナを有している。無線ＬＡＮ通信部６０は、インターネットに接続された無線ＬＡＮルータを介してサーバ装置（不図示）と通信する。３Ｇ通信部６１は、携帯電話網に接続された基地局を介してサーバ装置（不図示）と通信する。
【００５１】
バッテリ７０は、表示装置１の各部に対してＤＣ動作電源の供給を行う。
【００５２】
記憶部２１は、例えばフラッシュメモリで構成されている。記憶部２１は、表示装置１の各部の制御方法が記述された制御プログラムを保存する。この制御プログラムには、後述する画像表示ソフトを含む複数のアプリケーションソフトがインストールされている。画像表示ソフトは、画像を移動させる移動モードと、画像を回転させる回転モードと、を含む。
【００５３】
制御部２０は、例えばＣＰＵで構成されている。また、制御部２０は、現在時刻や現在日を計時するタイマー回路を有している。制御部２０は、記憶部２１に保存されている制御プログラムに従って、表示装置１の各部の動作を制御する。制御部２０は、当該制御プログラムで処理されるデータをＲＡＭ２２に展開する。
【００５４】
操作入力部１０は、押圧センサ１１Ｐ及び位置センサ１１Ｄを有する。さらに、操作入力部１０は、起動したアプリケーションソフトを終了させる物理的な終了キー（不図示）を有する。
【００５５】
押圧センサ１１Ｐは、操作入力部１０の操作面１０１が押圧されると、押圧量（押圧力）に応じた信号レベルＤＳｐの押圧検知信号を生成する。押圧センサ１１Ｐは、押圧検知信号を制御部２０へ出力する。
【００５６】
位置センサ１１Ｄは、操作入力部１０の各電極の検知容量の値を示す位置検知信号を生成する。位置検知信号の信号レベルＤＳｄは、ユーザの指が位置センサ１１Ｄに近接もしくは接触した際に生じる静電容量の変化量に依存している。位置センサ１１Ｄは、生成した位置検知信号を制御部２０へ出力する。
【００５７】
制御部２０は、位置センサ１１Ｄから出力された位置検知信号の信号レベルＤＳｄが所定閾値よりも大きいことを検知すると、その位置検知信号からタッチ位置を認識する。
【００５８】
制御部２０は、押圧検知信号と位置検知信号とに基づいて、操作入力内容を決定する。この際、制御部２０は、記憶部２１を操作入力内容の判断処理用の記憶領域として用いる。制御部２０は、決定した操作入力内容に基づく画像データを生成し、表示部３０へ出力する。
【００５９】
表示部３０は、画像データに基づいて画像を操作面１０１に表示する。表示部３０は例えば、インストールされている複数のアプリケーションソフトのアイコンを操作面１０１に表示する。例えば、操作面１０１に表示される複数のアプリケーションソフトのうち画像表示ソフトのアイコンをユーザがタッチすると、制御部２０は、画像表示ソフトを起動する。制御部２０が画像表示ソフトを起動すると、表示部３０は制御部２０の指示に従って、後述の図７、図８、図９に示すような立体画像５及び背景画像９を含む画像を操作面１０１に表示する。
【００６０】
以下、制御部２０の画像表示ソフト起動時の動作について、図を参照して説明する。図６は、図５に示す制御部２０が実行する処理を示すフローチャートである。図７は、図１に示す操作面１０１に表示される立体画像５がスライドする一例を示す図である。図８は、図１に示す操作面１０１に表示される立体画像５に回転軸Ａが設定される一例を示す図である。図９は、図１に示す操作面１０１に表示される立体画像５が回転する一例を示す図である。
【００６１】
なお、立体画像５の形状は球である。図７、図８、図９に示す白抜き矢印は、ユーザの指Ｆが動いた軌跡を示している。また、図７に示す点線矢印は、立体画像５のスライド方向を示している。図８に示す白抜き点線矢印は、ユーザの指Ｆの移動方向を示している。図９に示す点線矢印は、立体画像５の回転方向を示している。
【００６２】
制御部２０は、操作面１０１に表示される画像のうち、立体画像５を操作対象として決定する（Ｓ１）。操作面１０１に表示される画像は、立体画像５及び背景画像９を含む。
【００６３】
次に、制御部２０は、第１閾値以上の押圧量が検知されたか否かを判定し（Ｓ２）、スライド操作が行われたか否かを判定する（Ｓ３、Ｓ４）。なお、Ｓ２において制御部２０は、押圧センサ１１Ｐから出力される押圧検知信号の信号レベルＤＳｐが第１閾値以上であるかどうかを判定する。この信号レベルＤＳｐは、押圧量（押圧力）に応じた値を示している。同様に、Ｓ３、Ｓ４において制御部２０は、位置センサ１１Ｄから出力される位置検知信号の信号レベルＤＳｄが所定閾値よりも大きいことを検知すると、その位置検知信号からタッチ位置を認識する。
【００６４】
ここで、Ｓ２、Ｓ３、Ｓ４では制御部２０は、ユーザの入力操作を待ち受ける状態となっている。
【００６５】
ユーザが操作面１０１上で指Ｆによるスライドを開始したとき、押圧センサ１１Ｐは第２閾値以上第１閾値未満の押圧量を検知する。これにより、制御部２０は、動作モードを移動モードに設定する（Ｓ２のＮ、Ｓ３のＹ）。ここで、第２閾値は第１閾値より小さい値である。本実施形態において第２閾値はほぼ０に近い値に設定されている。
【００６６】
そして、制御部２０は、第２閾値以上の押圧量が押圧センサ１１Ｐで検知されている間（Ｓ６のＹ）、図７に示すように、位置センサ１１Ｄで検知されるタッチ位置のスライド方向に応じて立体画像５をスライドさせるよう表示部３０に指示する（Ｓ５）。
【００６７】
第２閾値以上の押圧量が押圧センサ１１Ｐで検知されなくなると（Ｓ６のＮ）、制御部２０は、立体画像５の移動を停止させるよう表示部３０に指示する（Ｓ７）。これにより、立体画像５のスライドが完了する。そして、制御部２０は、Ｓ１に戻り処理を継続する。そのため、ユーザは、立体画像５をスライドさせた後に、立体画像５を回転させることができる。なお、Ｓ６のＮでは、ユーザが立体画像５のスライドを終えるため、操作面１０１上から指Ｆを離す場面を想定している。
【００６８】
一方、ユーザが操作面１０１の一部を指Ｆで押圧し、操作面１０１上で指Ｆによるスライドを開始したとき、押圧センサ１１Ｐは第１閾値以上の押圧量を検知する。これにより、制御部２０は、動作モードを回転モードに設定する（Ｓ２のＹ、Ｓ４のＹ）。
【００６９】
まず、制御部２０は、予め定められた回転中心に基づいて、図８に示すように、位置センサ１１Ｄで検知されるタッチ位置のスライド方向に直交する方向Ａを立体画像５の回転軸に設定する（Ｓ８）。本実施形態において立体画像５の回転中心は、球体である立体画像５の中心である。立体画像５の回転軸Ａは、立体画像５の回転中心を通過する。
【００７０】
そして、制御部２０は、図９に示すように、位置センサ１１Ｄで検知されるタッチ位置のスライド方向に応じて立体画像５を回転させるよう表示部３０に指示する（Ｓ９）。これにより、立体画像５の回転が開始する。Ｓ９において、立体画像５の回転速度は、タッチ位置のスライド速度に対応する。また、立体画像５の回転量は、タッチ位置のスライド量に対応する。
【００７１】
制御部２０は、立体画像５が回転している間（Ｓ１０のＮ、Ｓ１１のＮ、Ｓ１２のＹ）、押圧センサ１１Ｐが第３閾値未満の押圧量を検知したとき（Ｓ１０のＹ）、押圧センサ１１Ｐが第４閾値以上の押圧量を検知したとき（Ｓ１１のＹ）、位置センサ１１Ｄがタッチ位置を検知しなくなったとき（Ｓ１２のＮ）、立体画像５の回転を停止するよう表示部３０に指示する（Ｓ１３）。これにより、立体画像５の回転が完了する。そして、制御部２０は、Ｓ１に戻り処理を継続する。そのため、ユーザは、立体画像５を回転させた後に、立体画像５をスライドさせることもできる。
【００７２】
ここで、第３閾値は第１閾値より小さい値である。第４閾値は第１閾値より大きい値である。本実施形態において第３閾値はほぼ０に近い値に設定されている。Ｓ１０のＹ及びＳ１２のＮでは、ユーザが立体画像５の回転を終えるため、操作面１０１上から指Ｆを離す場面を想定している。また、Ｓ１１のＹでは、ユーザが立体画像５の回転を終えるため、操作面１０１の一部を指Ｆで強く押圧する場面を想定している。
【００７３】
以上より、ユーザは、操作面１０１の一部を指Ｆで押圧し、操作面１０１上で指Ｆをスライドさせるだけで、表示部３０が立体画像５を回転させる。したがって、表示装置１は、簡単で直感的な入力操作により立体画像５を回転させることができる。
【００７４】
また、立体画像５の回転速度はユーザの指Ｆのスライド速度に対応する。また、立体画像５の回転量はユーザの指Ｆのスライド量に対応する。これらにより、表示装置１は、より直感的な入力操作を実現できる。
【００７５】
また、ユーザは、操作面１０１から指Ｆを離すだけで、立体画像５の回転を終えることができる。ここで、指Ｆを離した時点で立体画像５の回転をストップするものでも良いし、指Ｆを離した時点の回転速度から徐々に速度を遅くするものでも良い。また、ユーザは、操作面１０１の一部を指Ｆで押圧するだけで、表示部３０は立体画像５の回転を終える。したがって、表示装置１は、簡単で直感的な入力操作により立体画像５の回転を停止させることができる。
【００７６】
なお、表示部３０は、現在の動作モードが移動モード及び回転モードのどちらであるかということを、図７、図８、図９に示すように表示することが好ましい。画面表示以外にも音や振動で現在の動作モードを表現してもよい。これらにより、ユーザは、現在の動作モードを知ることができるため、誤操作を防ぐことができる。
【００７７】
また、ここではユーザが画面を指Ｆで軽くタッチしたときは移動、ユーザが画面を指Ｆで強くタッチしたときは回転、としているが、これに限るものではない。実施の際、Ｓ２を逆の設定、即ちユーザが画面を指Ｆで強くタッチしたときは移動、ユーザが画面を指Ｆで軽くタッチしたときは回転、としても構わない。
【００７８】
次に、本発明の他の実施形態に係る表示装置について、図を参照して説明する。ここでは、操作対象となる候補が画像の中に複数存在する場面について説明する。
【００７９】
図１０は、本発明の他の実施形態に係る表示装置の制御部２０が実行する処理を示すフローチャートである。図１１は、図１に示す操作面１０１に表示される複数の立体画像５、７の一例を示す図である。
【００８０】
図１０に示すように、他の実施形態に係る表示装置の制御部２０が実行する処理は、図６に示す処理にＳ２１を追加したものである。その他の処理（Ｓ１〜Ｓ１３）については、図６に示す処理と同じであるため、説明を省略する。
【００８１】
制御部２０が画像表示ソフトを起動すると、表示部３０は制御部２０の指示に従って、図１１に示すような複数の立体画像５、７及び背景画像９を含む画像を操作面１０１に表示する。
【００８２】
そして、制御部２０は、第２閾値以上の押圧量が押圧センサ１１Ｐで検知されるか否か判定する（Ｓ２１）。Ｓ２１ではユーザが、操作面１０１に表示される複数の立体画像５、７のうち、操作対象にしたい立体画像を選択する場面を想定している。ここではユーザが、立体画像５を押圧（選択）することとする。
【００８３】
第２閾値以上の押圧量が押圧センサ１１Ｐで検知されると（Ｓ２１のＹ）、制御部２０は、操作面１０１に表示される画像のうち、押圧された立体画像５を操作対象として決定する（Ｓ１）。そして制御部２０は以後同様の処理を継続する。
【００８４】
なお、前記実施形態では、制御部２０が画像表示ソフトを実行し、立体画像をスライドまたは回転させているが、これに限るものではない。実施の際は例えば、制御部２０がその他のソフト（例えばゲームソフト）を実行し、立体画像をスライドまたは回転させてもよい。
【００８５】
また、前記実施形態では、押圧センサ１１Ｐが圧電フィルム１１Ｐ１で構成されているが、これに限るものではない。実施の際、押圧センサは圧電フィルム以外で構成されていてもよい。例えば位置センサの周囲に圧電セラミック素子を配置し押圧センサとしてもよい。ただし、タブレットやスマートフォンなど大型の画面を持つ端末においては、面で押圧を検知できる圧電フィルムが好適である。
【００８６】
また、前記実施形態では、ユーザはタッチパネルの操作面１０１に表示される画像を見ながら操作面１０１に対してタッチ操作や押圧操作を行っているが、これに限るものではない。実施の際は例えば、画像を表示するディスプレイと、位置センサ１１Ｄ及び押圧センサ１１Ｐを有するタッチパッドとを備えるパーソナルコンピュータを使用してもよい。この場合ユーザは、ディスプレイに表示される画像を見ながらタッチパッドの操作面に対してタッチ操作や押圧操作を行う。
【００８７】
また、前記実施形態では、図８、図９に示すように立体画像５の回転軸Ａが、立体画像５の中心を通過するよう予め設定されているが、これに限るものではない。実施の際は例えば図１２、図１３に示すように、立体画像５の回転軸Ｂは、立体画像５の外に設定されていてもよい。この場合、立体画像５は図１３に示すように回転軸Ｂを中心にして回転する。
【００８８】
また、前記実施形態では、図８、図９に示すようにユーザの指Ｆが操作面１０１の幅方向へスライドし、スライド方向に直交する方向Ａを立体画像５の回転軸に設定しているが、これに限るものではない。実施の際は例えば図１４、図１５に示すように、ユーザの指Ｆが操作面１０１の対角線方向へスライドし、スライド方向に直交する方向Ｃを立体画像５の回転軸に設定してもよい。この場合、立体画像５は図１５に示すように回転軸Ｃを中心にして回転する。
【００８９】
また、前記実施形態では制御部２０は、Ｓ８においてスライド方向に直交する方向を立体画像５の回転軸に設定しているが、これに限るものではない。実施の際は例えば位置センサ１１Ｄによって検知される指Ｆの動く方向に基づいて、都度回転軸を調整しても良い。例えば当初予測した指Ｆの動きと現在の指Ｆの動きとの差が±５°ずれた時点で回転軸を修正しても良い。これにより詳細な動きが可能になる。逆に、例えば当初予測した指Ｆの動きと現在の指Ｆの動きとの差が±３０°ずれた時点で回転軸を修正しても良い。これにより、ラフな操作でも同じ向きに回転させることが出来る。
【００９０】
また、前記実施形態では制御部２０が、球形を有する立体画像５に回転軸Ａを設定しているが、これに限るものではない。実施の際は制御部２０が例えば図１６〜図１９に示すように円柱形を有する立体画像６に任意の回転軸を設定してもよい。制御部２０は、図１６、図１７、図１９に示すように、ユーザが指Ｆで押圧した点と立体画像６の中心Ｅとを結ぶ線Ｄを回転軸として設定してもよい。図１９では、中心Ｅが固定された状態で立体画像６が指Ｆのスライド移動に合わせて回転している。
【００９１】
また、前記実施形態では、表示部３０が回転軸Ａを中心に立体画像５を回転させているが、これに限るものではない。実施の際は例えば、表示部３０が図８に示す画像を操作面１０１に表示させている状態で、図２０に示すように、表示部３０が回転軸Ａを中心に視点を回転させてもよい。図２０では視点が変わり、操作面１０１に表示される画像が、背景画像９から背景画像１９へ変わっている。
【００９２】
最後に、前記各実施形態の説明は、すべての点で例示であり、制限的なものではないと考えられるべきである。本発明の範囲は、上述の実施形態ではなく、特許請求の範囲によって示される。さらに、本発明の範囲には、特許請求の範囲と均等の範囲が含まれる。
【符号の説明】
【００９３】
Ｆ…指
１…表示装置
５、６、７…立体画像
９…背景画像
１０…操作入力部
１１Ｄ…位置センサ
１１Ｄ１…絶縁性基板
１１Ｄ２，１１Ｄ３…静電容量検知用電極
１１Ｄ４…保護膜
１１Ｐ…押圧センサ
１１Ｐ１…圧電フィルム
１１Ｐ２，１１Ｐ３…押圧検知電極
１９…背景画像
２０…制御部
２１…記憶部
２２…ＲＡＭ
３０…表示部
５２…制御回路モジュール
６０…無線ＬＡＮ通信部
６１…３Ｇ通信部
７０…バッテリ
１００…筐体
１０１…操作面
３０１…液晶パネル
３０２…表面偏光板
３０３…裏面偏光板
３０４…バックライト
９００…一軸延伸方向
【図１】
2016152388.tif 000003
【図２】
2016152388.tif 000004
【図３】
2016152388.tif 000005
【図４】
2016152388.tif 000006
【図５】
2016152388.tif 000007
【図６】
2016152388.tif 000008
【図７】
2016152388.tif 000009
【図８】
2016152388.tif 000010
【図９】
2016152388.tif 000011
【図１０】
2016152388.tif 000012
【図１１】
2016152388.tif 000013
【図１２】
2016152388.tif 000014
【図１３】
2016152388.tif 000015
【図１４】
2016152388.tif 000016
【図１５】
2016152388.tif 000017
【図１６】
2016152388.tif 000018
【図１７】
2016152388.tif 000019
【図１８】
2016152388.tif 000020
【図１９】
2016152388.tif 000021
【図２０】
2016152388.tif 000022
【手続補正書】
【提出日】平成29年8月25日(2017.8.25)
【手続補正１】
【補正対象書類名】特許請求の範囲
【補正対象項目名】全文
【補正方法】変更
【補正の内容】
【特許請求の範囲】
【請求項１】
操作面と、
前記操作面に対するタッチ位置を検知する位置検知部と、
前記操作面に対する押圧を検知する押圧検知部と、
画像を表示する表示部と、を備え、
前記表示部は、前記押圧検知部が所定条件を満たす押圧量を検知したとき、前記位置検知部で検知される前記タッチ位置のスライド方向に応じて前記画像を回転させ、前記押圧検知部が所定条件を満たさない押圧量を検知したとき、前記位置検知部で検知される前記タッチ位置のスライド方向に応じて前記画像を移動させる、タッチ式入力装置。
【請求項２】
前記表示部は、前記押圧検知部が第１閾値以上の押圧量を検知したとき、前記位置検知部で検知される前記タッチ位置のスライド方向に応じて前記画像を回転させ、前記第１閾値未満かつ前記第１閾値より小さい第２閾値以上の押圧量を検知したとき、前記位置検知部で検知される前記タッチ位置のスライド方向に応じて前記画像を移動させる、請求項１に記載のタッチ式入力装置。
【請求項３】
前記表示部は、前記押圧検知部が前記第１閾値以上の押圧量を検知したとき、前記位置検知部で検知される前記タッチ位置のスライド方向に応じて前記画像を移動させ、第１閾値未満かつ前記第１閾値より小さい第２閾値以上の押圧量を検知したとき、前記位置検知部で検知される前記タッチ位置のスライド方向に応じて前記画像を回転させる、請求項１に記載のタッチ式入力装置。
【請求項４】
前記操作面、前記位置検知部、前記押圧検知部、及び前記表示部は、積層されてタッチパネルを構成し、
前記表示部は、前記画像を前記操作面に表示する、請求項１から請求項３のいずれか１項に記載のタッチ式入力装置。
【請求項５】
前記画像の回転速度は、前記タッチ位置のスライド速度に対応する、請求項１から請求項４のいずれか１項に記載のタッチ式入力装置。
【請求項６】
前記画像の移動速度は、前記タッチ位置のスライド速度に対応する、請求項１から請求項４のいずれか１項に記載のタッチ式入力装置。
【請求項７】
前記画像の回転量は、前記タッチ位置のスライド量に対応する、請求項１から請求項４のいずれか１項に記載のタッチ式入力装置。
【請求項８】
前記画像の移動量は、前記タッチ位置のスライド量に対応する、請求項１から請求項４のいずれか１項に記載のタッチ式入力装置。
【請求項９】
前記表示部は、予め定められた回転中心に基づいて、前記スライド方向に応じて前記画像を回転させる、請求項１から請求項８のいずれか１項に記載のタッチ式入力装置。
【請求項１０】
前記表示部は、前記スライド方向に直交する方向を前記画像の回転軸に設定する、請求項１から請求項９のいずれか１項に記載のタッチ式入力装置。
【請求項１１】
前記表示部は、前記押圧検知部が前記第２閾値以上の押圧量を検知したとき、前記画像のうち押圧された立体画像を回転又は移動の対象とする、請求項２から請求項１０のいずれか１項に記載のタッチ式入力装置。
【請求項１２】
前記表示部は、前記画像が回転している間に前記押圧検知部が前記第１閾値より小さい第３閾値未満の押圧量を検知したとき、前記画像の回転を停止する、請求項１から請求項１１のいずれか１項に記載のタッチ式入力装置。
【請求項１３】
前記表示部は、前記画像が回転している間に前記押圧検知部が前記第１閾値より大きい第４閾値以上の押圧量を検知したとき、前記画像の回転を停止する、請求項１から請求項１２のいずれか１項に記載のタッチ式入力装置。
【請求項１４】
前記表示部は、前記画像が回転している間に前記位置検知部が前記タッチ位置を検知しなくなったとき、前記画像の回転を停止する、請求項１から請求項１３のいずれか１項に記載のタッチ式入力装置。
【国際調査報告】
2016152388.tif 000023
2016152388.tif 000024
2016152388.tif 000025
2016152388.tif 000026